(57)【特許請求の範囲】
【請求項１】
互いに対して直角に接続された少なくとも２つの第１および第２の引出し壁部分（１２、１１）と、前記第１および第２の引出し壁部分（１２、１１）を接続するための接続装置（１５）と、を備えた構造体であって、
前記接続装置（１５）は、少なくとも一つの挿入開口部（２２）を有する少なくとも一つの受領部分（１６）を含み、
前記接続装置（１５）は、略平行に延びる少なくとも２つの第１および第２のリム（２４、２５）を有するクリップ（１７）を含み、
前記クリップ（１７）の前記第１のリム（２４）は、前記受領部分（１６）の前記挿入開口部（２２）に押し込み可能で、かつ、前記受領部分（１６）を前記第２の引出し壁部分（１１）に位置的に安定した関係で接続し、
前記受領部分（１６）は、前記第１の引出し壁部分（１２）の端部を受領するための受領開口部（２０）を有し、
前記第１および第２の引出し壁部分（１２、１１）を接続するための前記クリップ（１７）は、前記第２の引出し壁部分（１１）から直角に突出するウェブ（２１）を受領可能であり、
前記クリップ（１７）の前記第１および第２のリム（２４、２５）は前記第２の引出し壁部分（１１）の前記ウェブ（２１）を包囲している、ことを特徴とする構造体。
【請求項２】
前記受領部分（１６）の前記受領開口部（２０）は、押し込みポケットの形態であり、組み立てられた状態では、前記第１の引出し壁部分（１２）の前記端部を完全に包囲することを特徴とする請求項１記載の構造体。
【請求項３】
前記受領部分（１６）は、少なくとも一つの導入路（２９）を有しており、前記導入路（２９）によって前記クリップ（１７）の前記第１のリム（２４）が前記受領部分（１６）の前記挿入開口部（２２）へとガイドされることを特徴とする請求項１または２記載の構造体。
【請求項４】
前記導入路（２９）は、前記受領部分（１６）に提供された少なくとも一つの傾斜面を有しており、前記傾斜面によって前記クリップ（１７）の少なくとも前記第１のリム（２４）が、前記受領部分（１６）の前記挿入開口部（２２）の方向へガイドされることを特徴とする請求項３記載の構造体。
【請求項５】
前記受領部分（１６）は、組み立て状態において前記第１の引出し壁部分（１２）の端部に当接する少なくとも一つの弾性舌部（２３）を有することを特徴とする請求項１から４のいずれか１項に記載の構造体。
【請求項６】
前記クリップ（１７）は、少なくとも一つのスナップ式接続部（２７）によって前記受領部分（１６）に対して解除可能に接続でき、前記クリップ（１７）には、前記受領部分（１６）の所定の固定位置にてスナップ係合できる、少なくとも一つの弾性的に屈曲可能なラッチ部分（２８）が存在することを特徴とする請求項１から５のいずれか１項に記載の構造体。
【請求項７】
前記受領部分（１６）はプラスチック製であることを特徴とする請求項１から６のいずれか１項に記載の構造体。
【請求項８】
前記クリップ（１７）はプラスチック製であることを特徴とする請求項１から７のいずれか１項に記載の構造体。
【請求項９】
請求項１から８のいずれか１項に記載の構造体を備えていることを特徴とする引出し。
【請求項１０】
後壁、前方パネルおよび／または少なくとも１つの側壁は、端部が前記受領部分（１６）の前記受領開口部（２０）に挿入されるプレート状部材から構成された引出し壁部分（１２）を有しており、前記プレート状部材は、輪郭壁に前記接続装置（１５）によって接続されていることを特徴とする請求項９記載の引出し。
【発明の詳細な説明】
【技術分野】
【０００１】
本発明は、直角関係に配置されるよう意図された２つの引出し壁部分を接続するための接続装置に関する。
【０００２】
さらに本発明は、直角関係に配置され、かつ、そのような接続装置によって接続されているか、または、そのような接続装置によって接続できる、少なくとも２つの壁部分を含んだ構造体にも関する。本発明はさらに、後壁、前壁および２枚の側壁を有する引出しにも関し、これらの壁の少なくとも２枚はここで解説される接続装置で接続できる。
【背景技術】
【０００３】
そのような接続装置は、引出し壁部分の組み立てに利用され、特に第１の引き出し側壁部分は、金属製またはプラスチック製の輪郭壁（外壁）に接続装置によって接続される、装飾的な、プレート形状挿入部（例えばガラス製、プラスチック製、木製、石製またはセラミックス製）である。一般的に、引出し壁部分の組み立てまたは分解が簡単であり、接続装置の複雑な部品を無しで済ませることが可能であることが望ましい。引出し壁部分の人手による組み立てまたは分離も、工具を使用せずに実行可能であるべきである。
【発明の概要】
【発明が解決しようとする課題】
【０００４】
本発明の目的は、本明細書の当初部分で解説した、前述の要求を満たす、一般的な種類の接続装置の提案である。
【課題を解決するための手段】
【０００５】
本発明によれば、これは請求項１の特徴によって達成される。本発明の有利な形態は従属請求項に述べられている。
【０００６】
直角関係に配置される２つの引出し壁部分を接続するための本発明による接続装置は、以下の特徴の組合せを含んでいる：
第１の引出し壁部分の端部を受領するための受領開口部、および、少なくとも一つの挿入開口部、を有する少なくとも一つの受領部分と、
略平行に延びる少なくとも２つのリム（突出部）を有するクリップと、を含み、２つの引出し壁部分を接続するこのクリップは、第２の引出し壁部分に配置または提供されたウェブ（腹板部）に押し込み可能であり、クリップの２つのリムは第２の引出し壁部分のウェブを包囲し、クリップの第１のリムは、受領部分の挿入開口部に押し込み可能で、かつ、受領部分を第２の引出し壁部分に位置的に安定した関係で接続する（固定する）。
【０００７】
換言すれば、第１の引出し壁部分の端部が挿入できる受領開口部を備えた受領部分が提供される。平行に延びる少なくとも２つのリムを備えたＵ形状のクリップは、受領部分を第２の引出し壁部分に固定させるために提供され、組み立て工程では、クリップのリムの一つは受領部分に提供された挿入開口部に挿入され、受領部分（および第１の引出し壁部分）が、第２の引出し壁部分のウェブに対して強固なロックおよび／または強制ロック関係で固定されるよう、クリップの２つのリムは、共同で第２の引出し壁部分のウェブを包囲する。
【０００８】
本発明の１実施態様によれば、受領部分の受領開口部は押し込み（圧入）ポケットの形態であり、組み立てられた状態では、第１の引出し壁部分の端部をほぼ完全に包囲する。第１の引出し壁部分の端部をこの挿入ポケットに挿入することができる。
【０００９】
受領部分の挿入開口部へのクリップの挿入を容易にするために、受領部分には少なくとも一つの導入路が提供されており、これによってクリップのリムが受領部分の挿入開口部へとガイドされる。この目的のため、導入路は少なくとも一つの傾斜面、好適には２つの互いに近接する傾斜面を有することができ、これによってクリップの少なくとも一つのリムが、受領部分の挿入開口部の方向へとガイドされる。
【００１０】
受領部分および／またはクリップはプラスチック製であってもよく、好適にはこれらの部品は一体型射出成型品の形態である。よって、受領部分および／またはクリップが簡単で安価に製造できる。本発明による引出しは、後壁、前壁および２つの側壁を有しており、これらの壁の少なくとも２つは本発明で提案する接続装置で接続される。後壁、前壁および／または少なくとも１つの側壁は、好適にはガラス製、プラスチック製、木製、石製、またはセラミック製のプレート形状挿入体形態の引出し壁部分を有しており、プレート形状挿入体は、好適には金属製またはプラスチック製の輪郭壁（外形壁）に、接続装置によって接続される。
【００１１】
（項目１）
直角関係に配置される２つの引出し壁部分（１２、１１）を接続するための接続装置（１５）であって、
第１の引出し壁部分（１２）の端部を受領するための受領開口部（２０）、および、少なくとも一つの挿入開口部（２２）、を有する少なくとも一つの受領部分（１６）と、
略平行に延びる少なくとも２つのリム（２４、２５）を有するクリップ（１７）と、を含み、
前記２つの引出し壁部分（１２、１１）を接続するための前記クリップ（１７）は、前記第２の引出し壁部分（１１）に配置または提供されたウェブ（２１）に押し込み可能であり、
前記クリップ（１７）の前記２つのリム（２４、２５）は前記第２の引出し壁部分（１１）の前記ウェブ（２１）を包囲しており、
前記クリップ（１７）の前記第１のリム（２４）は、前記受領部分（１６）の前記挿入開口部（２２）に押し込み可能で、かつ、前記受領部分（１６）を前記第２の引出し壁部分（１１）に位置的に安定した関係で接続する、ことを特徴とする接続装置。
（項目２）
前記受領部分（１６）の前記受領開口部（２０）は、押し込みポケットの形態であり、組み立てられた状態では、前記第１の引出し壁部分（１２）の前記端部をほぼ完全に包囲することを特徴とする項目１記載の接続装置。
（項目３）
前記受領部分（１６）は、少なくとも一つの導入路（２９）を有しており、前記導入路（２９）によって前記クリップ（１７）の前記リム（２４）が前記受領部分（１６）の前記挿入開口部（２２）へとガイドされることを特徴とする項目１または２記載の接続装置。
（項目４）
前記導入路（２９）は、前記受領部分（１６）に提供された少なくとも一つの傾斜面を有しており、前記傾斜面によって前記クリップ（１７）の前記少なくとも一つのリム（２４）が、前記受領部分（１６）の前記挿入開口部（２２）の方向へガイドされることを特徴とする項目３記載の接続装置。
（項目５）
前記受領部分（１６）は、組み立て状態において前記第１の引出し壁部分（１２）の端部に当接する少なくとも一つの弾性舌部（２３）を有することを特徴とする項目１から４のいずれか１項に記載の接続装置。
（項目６）
前記クリップ（１７）は、少なくとも一つのスナップ式接続部（２７）によって前記受領部分（１６）に対して解除可能に接続でき、好適には前記クリップ（１７）には、前記受領部分（１６）の所定の固定位置にてスナップ係合できる、少なくとも一つの弾性的に屈曲可能なラッチ部分（２８）が存在することを特徴とする項目１から５のいずれか１項に記載の接続装置。
（項目７）
前記受領部分（１６）はプラスチック製であり、好適には前記受領部分（１６）は一体型射出成型品の形態で製造されていることを特徴とする項目１から６のいずれか１項に記載の接続装置。
（項目８）
前記クリップ（１７）はプラスチック製であり、好適には前記クリップ（１７）は一体型射出成型品の形態で製造されていることを特徴とする項目１から７のいずれか１項に記載の接続装置。
（項目９）
直角関係に配置され、かつ、項目１から８のいずれか１項に記載の接続装置（１５）によって接続される少なくとも２つの引出し壁部分（１２、１１）を含んだ構造体。
（項目１０）
後壁、前方パネルおよび２枚の側壁を含んだ引出しであって、前記壁（８、１０、１１）のうちの少なくとも２つは、項目１から８のいずれか１項に記載の接続装置（１５）によって接続されていることを特徴とする引出し。
（項目１１）
前記後壁（１１）、前記前方パネル（８）および／または前記少なくとも１つの側壁（１０）は、プレート形状挿入体の形態であり、かつ、好適にはガラス製、プラスチック製、木製、石製、またはセラミックス製の引出し壁部分（１２）を有しており、前記プレート形状挿入体は、好適には金属製またはプラスチック製の輪郭壁（１１）に前記接続装置（１５）によって接続されていることを特徴とする項目１０記載の引出し。
本発明のさらなる詳細および利点は、図面に記載の実施例によって解説される。
【図面の簡単な説明】
【００１２】
【図１】図１は、家具枠体と、移動可能な引出しとを備えた家具の斜視図である。
【図２】図２は、引出しの斜視図である。
【図３】図３は、片側を分解図で示した図２の引出しである。
【図４】図４は、引出しの後端領域の分解図である。
【図５ａ】図５ａは、引出し壁部分を装着した引出しの後端部分の斜視図である。
【図５ｂ】図５ｂは、引出し壁部分を保持する位置での接続装置の破断図である。
【図６ａ】図６ａは、接続装置のクリップの図である。
【図６ｂ】図６ｂは、接続装置のクリップの図である。
【図７ａ】図７ａは、クリップが適切に配置される引出しの後端領域と、クリップの組み立て位置とを示している。
【図７ｂ】図７ｂは、クリップが適切に配置される引出しの後端領域と、クリップの組み立て位置とを示している。
【発明を実施するための形態】
【００１３】
図１は、家具１の斜視図である。キャビネット形態の家具１は、引出し延出ガイド４によって、家具枠体２に対して、移動可能に取り付けられている複数の引出し３を有している。知られた状態では、引出し延出ガイド４は、家具枠体２に固定される枠体レール５、引出し３に固定される引出しレール７、および枠体レール５と引出しレール７との間で移動可能に配置された中央レール６を有している。引出し３は、前方パネル８、引出し底部９、引出し側壁１０、および後壁１１をそれぞれ有する。
【００１４】
図２は、引出し３の後方斜視図である。引出し３は、前方パネル８、引出し底部９、側壁１０、および後壁１１を含んでいる。側壁１０の上方には、例えばガラス製、木製、金属製、プラスチック製、またはセラミックス製のプレート形状の挿入体の形態である、第１の引出し壁部分１２がそれぞれ配置されている。レールストラット（レール支柱）１４は、第１の引出し壁部分１２の上方に配置されている。前方パネル８には、第１の引出し壁部分１２の前端部分を受領するための凹部（ここでは図示せず）を有する装着体１３が取り付けられている。対照的に、引出し壁部分１２の後端部分は、図示の実施例では、第２の引出し壁部分を形成している後壁１１に接続装置１５によって接続される。接続装置１５は、受領開口部２０（図３）を備えた受領部分１６を含んでおり、そこには引出し壁部分１２の後端部分が挿入される。受領部分１６は、引出し壁部分１２の長手方向に延びる方向で、後方から受領部分１６へ挿入できるクリップ１７によって後壁１１に対して固定されており、受領部分１６はクリップ１７によって後壁１１に対して位置的に安定した関係で固定されることができる。
【００１５】
図３は、引出し３の斜視図であり、引出し３の片側が分解図で示されている。装着体１３は前方パネル８の後側に装着され、装着体１３は引出し部分１２の前端部分を受領し、レールストラット１４の前端を同時に固定するように設計されている。図では、装着体１３は２つの部材からなり、前方パネル８に取り付けられ、かつ、ホルダ１９をスナップ係合できる固定部分１８を含んでいる。ホルダ１９は、引出し壁部分１２の前端部分を受領するためのポケット形状の凹部を有している。引出し３の側壁１０は、中空断面部材の形態であり、好適には金属製またはプラスチック製である。接続装置１５は、組み立て位置において垂直に延び、かつ、引出し壁部分１２の後端部分を受領するための受領開口部２０を有する受領部分１６を含んでいる。受領部分１６は、クリップ１７によって、後壁１１に配置または提供されているウェブ２１に対して固定できる。図示の実施例では、後壁１１は金属製またはプラスチック製の輪郭壁で形成されており、ウェブ２１は後壁１１から直角に後方に延びている。
【００１６】
図４は、引出し３の後端領域の上方からの斜視図である。引出し底部９、側壁３およびウェブ２１が後方に突出している後壁１１を備えた引出し３が図示されている。受領部分１６は、引出し壁部分１２が受領部分１６の受領開口部２０（図３）に保持されるよう、引出壁部分１２の後方端に装着されている。受領部分１６には、組み立て状態では引出し壁部分１２の端部に当接する弾性舌部２３が提供されており、引出し３が家具枠体２に対して押し込まれるか、または引き出されるときに、引出し壁部分１２の長手方向の移動が舌部２３によって防止される。受領部分１６は、クリップ１７を受領する挿入開口部２２をさらに含んでいる。クリップ１７は、２つの互いに離れたリム２４、２５を含んでおり、それらの間には隙間２６が存在している。クリップ１７のリム２４は、受領部分１２の挿入開口部２２に取り付けられ、一方、後壁１１のウェブ２１が、リム２４、２５の間に形成された隙間に受領されるよう、クリップ１７の他方のリム２５は、組み立てられた状態では、ウェブ２１の内側に当接する。クリップ１７の導入を容易にするために、少なくとも一つの傾斜面を有する導入路２９が提供されており、それによってクリップ１７は受領部分１６の挿入開口部２２内にガイドされる。
【００１７】
図５ａは、引出し３の後端領域の上方からの斜視図である。引出し壁部分１２の組み立て位置が図示されており、ウェブ２１がクリップ１７の２つのリム２４、２５間に保持されるよう、クリップ１７のリム２４（図４）は、受領部分１６の挿入開口部２２内に受領されており、クリップ１７の他方のリム２５は後壁１１のウェブ２１の内側に当接している。
【００１８】
図５ｂは、引出し壁部分１２の保持位置にある接続装置１５の破断図であり、引出し壁部分１２の後端部分は、受領部分１６の受領開口部２０に取り付けられている。クリップ１７のリム２４は受領部分１６内に適合し、一方、ウェブ２１がクリップ１７の２つのリム２４、２５間で受領されるよう、クリップ１７の他方のリム２５は後壁１１の有角ウェブ２１に当接している。
【００１９】
図６ａは、クリップ１７の斜視図であり、図６ｂはクリップ１７の平面図である。クリップ１７は、間に隙間２６が存在する少なくとも２つの互いに離れたリム２４、２５を有している。図では、リム２４、２５は長さが異なっている。引出し壁部分１２の保持位置において、受領部分１６の所定の固定位置に解除可能にラッチ留めされる弾性的に屈曲可能なラッチ部分２８を備えたスナップ式接続部２７が図示されている。ラッチ要素２８は、受領部分１６に対するクリップ１７の意図しない解除を防止できる。
【００２０】
図７ａと図７ｂは、解除位置および組み立て位置におけるクリップ１７を備えた引出し３の後端領域を図示している。リム２４は、受領部分１６の挿入開口部２２（図４）へ挿入されており、他方のリム２５は、組み立てられた状態において後壁１１のウェブ２１に当接している。
【００２１】
本発明は、図示の実施例に限定されず、添付の「請求の範囲」内の全ての変形および技術的均等物を含んでいるか、またはこれらにも及ぶ。上、下、横などの解説で採用した位置的関係は、直接解説したもの、および図面において示すものにも関連し、位置の変更に応じて適宜変更されるものである。
【図１】
0005914676.tif 000002
【図２】
0005914676.tif 000003
【図３】
0005914676.tif 000004
【図４】
0005914676.tif 000005
【図５ａ】
0005914676.tif 000006
【図５ｂ】
0005914676.tif 000007
【図６ａ】
0005914676.tif 000008
【図６ｂ】
0005914676.tif 000009
【図７ａ】
0005914676.tif 000010
【図７ｂ】
0005914676.tif 000011